(57)【特許請求の範囲】
【請求項１】
ハウジングと、
前記ハウジングに設けられる第１開口部と、
前記第１開口部とは異なる第２開口部と、
前記ハウジングに着脱可能に固定して、前記第２開口部の一部分を覆う着脱部材と、
前記ハウジングの内部に設けられており、通信用ドングルを装着可能なコネクターと、
を備え、
前記コネクターに装着した前記通信用ドングルは、
前記第１開口部、及び、前記第２開口部を介して露出し、
前記着脱部材は、
前記ハウジングに固定すると、前記コネクターに装着した前記通信用ドングルの一部分を覆う、電子機器。
【請求項２】
前記ハウジングを上方向から見た場合に、前記第１開口部を介して前記コネクターに装着した前記通信用ドングルを視認可能である、請求項１に記載の電子機器。
【請求項３】
前記ハウジングを下方向から見た場合に、前記第２開口部を介して前記コネクターに装着した前記通信用ドングルを視認可能である、請求項２に記載の電子機器。
【請求項４】
前記ハウジングを上方から見た場合に、前記第１開口部と前記第２開口部とは、少なくとも一部分が重なる、請求項３に記載の電子機器。
【請求項５】
前記ハウジングは、前記第２開口部を備える底部と、前記底部から下方に突出する突部と、を備える、請求項１に記載の電子機器。
【請求項６】
前記ハウジングは、
前記コネクター、及び、前記通信用ドングルを収容する収容室を有し、
前記第２開口部は、
前記通信用ドングルを前記コネクターに装着するときに、前記通信用ドングルを前記収容室に挿入する挿入経路となる、請求項１に記載の電子機器。
【請求項７】
前記着脱部材は、前記ハウジングに固定すると、前記コネクターに装着した前記通信用ドングルの一部分を下方から覆う、請求項１に記載の電子機器。
【請求項８】
前記着脱部材は、
前記コネクターに装着した前記通信用ドングルが、前記コネクターから抜けることを防止する抜け防止機構を備える、請求項１に記載の電子機器。
【請求項９】
前記着脱部材は、
ネジにより前記ハウジングに固定して設けられる、請求項１に記載の電子機器。
【請求項１０】
ハウジングと、
前記ハウジングに設けられる第１開口部と、
前記第１開口部とは異なる第２開口部と、
前記ハウジングに着脱可能に固定して、前記第２開口部の一部分を覆う着脱部材と、
前記ハウジングの内部に設けられており、通信用ドングルを装着可能なコネクターと、
を備え、
前記コネクターに装着した前記通信用ドングルは、
前記第１開口部、及び、前記第２開口部を介して露出し、
前記着脱部材は、
前記ハウジングに固定すると、前記コネクターに装着した前記通信用ドングルの一部分を覆う、ディスプレイ。
【発明の詳細な説明】
【技術分野】
【０００１】
本発明は、通信用ドングルが着脱可能に装着されるディスプレイなどの電子機器、およびこのような電子機器と通信用ドングルとからなる電子機器ユニットに関する。
【背景技術】
【０００２】
電子機器に通信機能を付加するために、電子機器のコネクターに通信用ドングルが装着されることがある。特許文献１の記載の電子機器（コンピューター）は、ハウジング内に通信用ドングルを収容するための収容室を備えており、通信用ドングルがコネクターに装着されたときに、通信用ドングルはハウジング内に収容された状態となる。電子機器の側部にはルーバーが設けられており、通信用ドングルからの熱は、ルーバーを介してハウジングの外部に放出される。
【先行技術文献】
【特許文献】
【０００３】
【特許文献１】特開平１１−３５３０５５号公報
【発明の概要】
【発明が解決しようとする課題】
【０００４】
ハウジング内に通信用ドングルを収容した場合には、その熱がハウジング内で滞留して、電子機器の部品が破損する可能性がある。また、ハウジング内で滞留した熱と自己の発熱とによって、通信用ドングル自身が機能不全となったり、更には破損する可能性がある。
【０００５】
本発明の課題は、かかる点に鑑みて、ハウジング内に収容された通信用ドングルからの熱をハウジングの外側に効率よく放出できる電子機器を提供することにある。また、このような電子機器と通信用ドングルからなる電子機器ユニットを提供することにある。さらに、ハウジング内に収容された通信用ドングルからの熱をハウジングの外側に効率よく放出できるディスプレイを提供することにある。
【課題を解決するための手段】
【０００６】
上記の課題を解決するために、本発明は、通信用ドングルを装着可能なコネクターを備え、当該コネクターに装着された前記通信用ドングルがハウジング内に収容される電子機器において、前記ハウジングは、前記コネクターに装着された前記通信用ドングルを当該ハウジングの外側から視認可能とする開口部を備えることを特徴とする。
【０００７】
本発明によれば、コネクターに装着された通信用ドングルが発熱した場合には、その熱は、ハウジングに設けられた開口部を介して外部に放出される。従って、通信用ドングルからの熱を、ルーバーを介して、ハウジングの外側に放出する場合と比較して、効率よく放出できる。
【０００８】
本発明において、前記ハウジングを上方向から見た場合に、前記開口部を介して前記コネクターに装着された前記通信用ドングルが視認可能であることが望ましい。このようにすれば、コネクターに接続された通信用ドングルで発生した熱を、この熱によって発生する気流によりハウジングの外側に放出できる。
【０００９】
本発明において、前記ハウジングに着脱可能に装着されて前記開口部を封鎖する封鎖部材を有するものとすることができる。このようにすれば、通信用ドングルがコネクターに接続されていない場合に、封鎖部材によって開口部を封鎖できる。ここで、開口部を封鎖部材で封鎖すれば、ハウジング内にゴミなどの異物が侵入することを防止できる。また、開口部を封鎖することにより、電子機器の美観を向上させることができる。
【００１０】
本発明において、前記ハウジングは、前記コネクターに装着された前記通信用ドングルを当該ハウジングの外側から視認可能とする第２の開口部を備え、前記ハウジングを下方向から見た場合に、前記第２の開口部を介して前記コネクターに装着された前記通信用ドングルが視認可能であることが望ましい。このようにすれば、コネクターに接続された通信用ドングルが発熱したときに、発生した熱により、第２の開口部から通信用ドングルおよび開口部を経由して上昇する気流が形成される。従って、通信用ドングルで発生した熱をハウジングの外側に放出しやすい。また、第２の開口部を介してハウジングの外部から内に取り入れる空気によって、通信用ドングルを冷却できる。
【００１１】
本発明において、前記ハウジングを上方から見た場合に、前記開口部と前記第２の開口部は、少なくとも一部分が重なっていることが望ましい。このようにすれば、第２の開口部から通信用ドングルおよび開口部を経由して上昇する気流を形成しやすい。
【００１２】
本発明において、前記ハウジングは、前記第２の開口部を備える底部と、当該底部から下方に突出する突部と、を備えることが望ましい。このようにすれば、電子機器を所望の設置面に設置したときに、突部によって設置面と底部との間に空間を形成できる。従って、設置面と底部の間の空間から第２の開口部を介してハウジング内に空気を取り入れることができる。よって、コネクターに接続された通信用ドングルが発熱したときに、第２の開口部から通信用ドングルおよび開口部を経由して上昇する気流を形成しやすい。また、設置面と底部との間に空間および第２の開口部を介してハウジング内に取り入れる空気によって、通信用ドングルを冷却できる。
【００１３】
本発明において、前記ハウジングは、前記コネクター、前記通信用ドングルを収容する収容室、および、前記第２の開口部を有するハウジング本体と、当該ハウジング本体に着脱可能に固定されて前記第２の開口部を部分的に封鎖する着脱部材とを備え、前記第２の開口部は、前記通信用ドングルを前記コネクターに装着するときに当該通信用ドングルを前記収容室に挿入する挿入経路であり、前記着脱部材は、前記ハウジング本体に固定された状態で、前記コネクターに装着された前記通信用ドングルの一部分を下方から被うことが望ましい。このようにすれば、通信用ドングルをハウジング内に収容することが容易となる。また、コネクターに装着した通信用ドングルがハウジングから脱落してしまうことを防止できる。
【００１４】
本発明において、前記着脱部材は、前記ハウジング本体に固定された状態で、前記コネクターに装着された前記通信用ドングルの当該コネクターからの抜けを防止する抜け防止機構を備えることが望ましい。このようにすれば、コネクターに装着した通信用ドングルがハウジングの内側でコネクターから抜けてしまうことを防止できる。
【００１５】
本発明において、着脱部材をハウジングに着脱可能に固定するためには、前記着脱部材は、ネジにより、前記ハウジング本体に固定されるものとすることができる。
【００１６】
次に、本発明の電子機器ユニットは、上記の電子機器と、前記コネクターに接続された通信用ドングルと、を有することを特徴とする。
【００１７】
本発明によれば、通信用ドングルは電子機器のハウジング内に収容される。従って、電子機器ユニットを移動させる際などに通信用ドングルが破損することを防止できる。また、通信用ドングルがコネクターから不用意に外されることを防止できる。さらに、通信用ドングルが発熱した場合でも、その熱は、開口部を介して、ハウジングの外側に放出される。従って、通信用ドングルからの熱がハウジング内に滞留することがなく、電子機器の内部部品が破損することを防止できる。また、ハウジング内に滞留した熱や通信用ドングルからの熱によって通信用ドングル自身が破損することを防止できる。
【００１８】
本発明において、前記電子機器は、ディスプレイとすることができる。このようにすれば、ディスプレイに無線通信機能を追加するための通信用ドングルがハウジング内に収容されたときに、通信用ドングルからの熱がハウジング内に滞留して、ディスプレイの部品が破損することを防止できる。また、ハウジング内に滞留した熱と通信用ドングルからの熱によって通信用ドングル自身が破損することを防止できる。
【００１９】
次に、本発明は、通信用ドングルを装着可能なコネクターを備え、当該コネクターに装着された前記通信用ドングルがハウジング内に収容されるディスプレイにおいて、前記ハウジングは、前記コネクターに装着された前記通信用ドングルを当該ハウジングの外側から視認可能とする開口部を備えることを特徴とする。
【００２０】
本発明によれば、ディスプレイに無線通信機能を追加するための通信用ドングルがハウジング内に収容されたときに、通信用ドングルからの熱がハウジング内に滞留して、ディスプレイの部品が破損することを防止できる。また、ハウジング内に滞留した熱と通信用ドングルからの熱によって通信用ドングル自身が破損することを防止できる。
【図面の簡単な説明】
【００２１】
【図１】ディスプレイユニットを備えるＰＯＳシステムの説明図である。
【図２】ディスプレイユニットを上方から見た場合の斜視図である。
【図３】ディスプレイユニットを下方から見た場合の斜視図である。
【図４】ディスプレイユニットの断面図である。
【図５】着脱部材と無線通信用ドングルを取り外したディスプレイの斜視図である。
【図６】封鎖部材を取り付けたディスプレイの斜視図である。
【図７】変形例のディスプレイの斜視図である。
【発明を実施するための形態】
【００２２】
以下に、図面を参照して、本願発明を適用した実施の形態であるディスプレイを説明する。
【００２３】
（ＰＯＳシステム）
図１は本発明を適用したディスプレイユニットを備えるＰＯＳシステムの説明図である。図１に示すように、本例のディスプレイユニット１は、ディスプレイ２と無線通信用ドングル（通信用ドングル）３を備える。ディスプレイユニット１は、タブレット型のＰＯＳ端末装置５およびプリンター６とともにＰＯＳシステム７を構成する。ＰＯＳシステム７において、ディスプレイ２はケーブル８によってプリンター６と通信可能に接続される。また、ディスプレイ２は、無線通信用ドングル３により、無線ＬＡＮ９を介してＰＯＳ端末装置５に通信可能に接続される。
【００２４】
ＰＯＳ端末装置５で会計処理が行われると、レシートを発行するためのレシートデータがＰＯＳ端末装置５から無線ＬＡＮ９を介してディスプレイ２に送信される。レシートデータを受信したディスプレイ２は、レシートデータをその表示部１１に表示する。また、レシートデータを受信したディスプレイ２はケーブル８を介してレシートデータをプリンター６に転送する。レシートデータの供給を受けたプリンター６はレシートデータに基づいてレシートを発行する（レシートデータを印刷する）。
【００２５】
（ディスプレイ）
図２（ａ）は本発明を適用したディスプレイユニット１を前方の斜め上方から見た場合の斜視図であり、図２（ｂ）は図２（ａ）のディスプレイユニット１を後方の斜め上方から見た場合の斜視図である。図３は図２のディスプレイユニット１を後方の斜め下方から見た場合の斜視図である。図４はディスプレイユニット１を図２（ｂ）のＡ−Ａ線で切断した場合の断面図である。以下では、互いに直交する３方向を幅方向Ｘ、前後方向Ｙおよび上下方向Ｚとして説明する。ディスプレイ２において、表示部１１が位置する側は前後方向Ｙの前方Ｙ１であり、その反対側が後方Ｙ２である。また、幅方向Ｘの一方を第１方向Ｘ１、他方を第２方向Ｘ２とする。
【００２６】
図２（ａ）に示すように、ディスプレイ２は、幅方向Ｘに長い矩形の表示部１１と、表示部１１の下側部分を後方Ｙ２から支持する本体部１２を備える。表示部１１は、幅方向Ｘおよび上下方向Ｚに対して前後方向Ｙが短い偏平な直方体形状をしている。また、表示部１１は、その前面に矩形の液晶パネル１３を備える。表示部１１はその後面の下側部分が本体部１２に接続されている。
【００２７】
図２（ｂ）に示すように、本体部１２は、上方から見た場合の輪郭形状が正方形のハウジング１５を備える。ハウジング１５は、幅方向Ｘおよび前後方向Ｙの寸法に対して上下方向Ｚが短い偏平形状である。図３に示すように、ハウジング１５は、ハウジング本体１６と、ハウジング本体１６の下端部分に着脱可能に固定された着脱部材１７を備える。ハウジング本体１６および着脱部材１７は樹脂製である。着脱部材１７はネジ２８（図５参照）によりハウジング本体１６に固定されている。
【００２８】
ハウジング本体１６は、図４に示すように、本体部１２の上面を規定する天井板１８と、下面を規定する底板１９と、上下方向Ｚに延びて天井板１８の外周縁部分と底板１９の外周縁部分を連続させる接続する枠板２０を備える。ハウジング本体１６内には、無線通信用ドングル３が装着されるコネクター２１が配置されている。また、ハウジング本体１６内には、コネクター２１に装着された無線通信用ドングル３を収容するための収容室２２が設けられている。
【００２９】
図２（ｂ）に示すように、天井板１８は、その幅方向Ｘの中央の前側部分に上方に突出する突出部２５を備える。突出部２５は幅方向Ｘから見た場合の形状が上方に向って先細りとなる三角形形状をしている。表示部１１は、突出部２５における前側の傾斜面に接続されている。天井板１８における突出部２５の後方Ｙ２には第１開口部２６が形成されている。第１開口部２６は、矩形であり、天井板１８における幅方向Ｘの中央に位置する。
【００３０】
図３および図４に示すように、ハウジング本体１６は、その下端部分の幅方向Ｘの中央に、下方に突出する正方形の底部２７を備える。底部２７は、底板１９と着脱部材１７により構成されている。より詳細には、底部２７の四隅のうちの一つの隅部分が着脱部材１７によって形成されている。底部２７の後端部分（底板１９の後側部分）には矩形の第２開口部２９が形成されている。図３に示すように、第２開口部２９は上下方向Ｚから見た場合に第１開口部２６と重なる重なり開口部分３０と、重なり開口部分３０から幅方向Ｘの第２方向Ｘ２に広がる広がり開口部分３１を備える。着脱部材１７がハウジング本体１６に固定された状態では、着脱部材１７は第２開口部２９の広がり開口部分３１を塞ぐ。また、図４に示すように、着脱部材１７は上方に突出（収容室２２内に突出）する突出部３３を備える。
【００３１】
底部２７の四隅には、それぞれ下方に突出する突部３４が形成されている。各突部３４は、本体部１２の脚であり、その先端面にはゴムなどの弾性部材３５が貼り付けられている。なお、４つの突部３４のうちの一つは、着脱部材１７の下面に設けられている。
【００３２】
図４に示すように、天井板１８と底板１９の間において、第１開口部２６および第２開口部２９の第１方向Ｘ１には、コネクター２１が配置されている。本例では、コネクター２１はＵＳＢ（Ｕｎｉｖｅｒｓａｌ  Ｓｅｒｉａｌ  Ｂｕｓ）規格のものであり、幅方向Ｘから見た場合に矩形の装着口を備える。収容室２２は、コネクター２１を含んで、コネクター２１から第２方向Ｘ２に延びる空間である。
【００３３】
幅方向Ｘでコネクター２１と第１開口部２６および第２開口部２９の間には、収容室２２を部分的に仕切る隔壁３７が設けられている。隔壁３７は、幅方向Ｘから見た場合に、コネクターの装着口と重なる位置に矩形の開口部３７ａを備える。隔壁３７における開口部３７ａの開口縁には、第１開口部２６および第２開口部２９の側に、環状のパッキン３８が取り付けられている。なお、収容室２２に隔壁３７を設けることにより、第１開口部２６および第２開口部２９からコネクター２１に至る沿面距離を確保している。これにより、コネクター２１を静電気から保護する。
【００３４】
ここで、無線通信用ドングル３は、コネクター２１に挿入されるコネクター部４０と、ドングル本体４１を有する。収容室２２は、コネクター２１の第２方向Ｘ２の端から、無線通信用ドングル３の長さ寸法と当該無線通信用ドングル３のコネクター部４０の長さ寸法を合計した寸法以上に長く延びている。
【００３５】
無線通信用ドングル３は、コネクター部４０を第１方向Ｘ１に向けた状態として、第１開口部２６および第２開口部２９が位置する側から第１方向Ｘ１に向ってコネクター２１に挿入される。無線通信用ドングル３がコネクター２１に装着された状態では、ドングル本体４１の第１方向Ｘ１の端面がパッキン３８に当接して、ドングル本体４１と隔壁３７の間が液密な状態となる。
【００３６】
無線通信用ドングル３がコネクター２１に装着された状態のディスプレイ２を上方から見た場合には、図２（ｂ）に示すように、第１開口部２６を介してコネクター２１に装着された無線通信用ドングル３が視認可能である。すなわち、第１開口部２６は上下方向Ｚから見た場合に収容室２２と部分的に重なる位置に設けられており、コネクター２１に装着された無線通信用ドングル３は、その一部分が第１開口部２６介して上方に露出する。
【００３７】
また、無線通信用ドングル３がコネクター２１に装着され、かつ、ハウジング本体１６に着脱部材１７が固定された状態のディスプレイ２を下方から見た場合には、図３に示すように、第２開口部２９の重なり開口部分３０を介してコネクター２１に装着された無線通信用ドングル３が視認可能である。すなわち、重なり開口部分３０は上下方向Ｚから見た場合に収容室２２と重なる位置に設けられており、コネクター２１に装着された無線通信用ドングル３は、その一部分が第２開口部２９介して下方に露出する。
【００３８】
また、無線通信用ドングル３がコネクター２１に装着され、かつ、ハウジング本体１６に着脱部材１７が固定された状態では、図４に示すように、着脱部材１７の突出部（抜け防止機構）３３が収容室２２内に突出する。収容室２２内に突出した突出部３３は、無線通信用ドングル３に対して第２方向Ｘ２で隣り合う位置で、無線通信用ドングル３と狭い間隔を開けて対向する。従って、突出部３３は、着脱部材１７がハウジング本体１６に取り付けられたときに、コネクター２１に装着された無線通信用ドングル３がハウジング１５の内側でコネクター２１から抜けてしまうことを防止する抜け防止機構となる。
【００３９】
（無線通信用ドングルの装着）
図５は着脱部材１７および無線通信用ドングル３を取り外したディスプレイ２を後方Ｙ２の斜め下方から見た場合の斜視図である。無線通信用ドングル３をハウジング本体１６内にあるコネクター２１に装着する際には、まず、ハウジング本体１６から着脱部材１７を取り外す。これにより、第２開口部２９の広がり開口部分３１を開放状態とする。広がり開口部分３１が開放状態となると、第２開口部２９（重なり開口部分３０および広がり開口部分３１）によって、収容室２２における第２方向Ｘ２側の部分の全体がハウジング本体１６から外側に露出する。ここで、第２開口部２９（重なり開口部分３０および広がり開口部分３１）は、無線通信用ドングル３をハウジング本体１６の外側から内側に受け入れるのに十分な広さを有する。従って、第２開口部２９を、無線通信用ドングル３を収容室２２に挿入する挿入経路として利用して、無線通信用ドングル３を収容室２２に挿入する。そして、収容室２２に挿入した無線通信用ドングル３を第１方向Ｘ１に移動させて、無線通信用ドングル３のコネクター部４０をコネクター２１に装着する。その後、着脱部材１７をネジ２８によりハウジング本体１６に固定する。
【００４０】
ここで、図４に示すように、着脱部材１７をハウジング本体１６に固定すると、着脱部材１７の突出部３３が無線通信用ドングル３の第２方向Ｘ２の端部と狭い間隔を開けて対向する。これにより、コネクター２１に装着された無線通信用ドングル３がハウジング１５の内側でコネクター２１から抜けてしまうことが防止される。
【００４１】
また、本例では、着脱部材１７をネジ２８によりハウジング本体１６に固定すると、コネクター２１に装着された無線通信用ドングル３は、ハウジング１５に収容された状態となる。従って、ディスプレイ２を移動する際などに、無線通信用ドングル３やコネクター２１が破損することを防止できる。また、無線通信用ドングル３がコネクター２１から不用意に外されることを防止できる。
【００４２】
（ディスプレイからの放熱）
無線通信用ドングル３を搭載するディスプレイ２は、本体部１２の底部２７が下方を向く状態としてレジカウンターなどに設置される。設置後にディスプレイ２に電源を投入すると、無線通信用ドングル３が動作して、ＰＯＳ端末装置５との間の無線通信が可能となる。
【００４３】
ここで、無線通信用ドングル３は発熱しやすい。従って、無線通信用ドングル３がハウジング１５内に収容された場合には、無線通信用ドングル３からの熱がハウジング１５の内部に滞留して、ディスプレイ２の部品が破損する可能性がある。また、ハウジング１５の内部に滞留する熱と無線通信用ドングル３からの熱によって無線通信用ドングル３自身が破損する可能性がある。
【００４４】
これに対して、本例では、ハウジング１５を上方向から見た場合に、図２（ｂ）に示すように、第１開口部２６を介してコネクター２１に装着された無線通信用ドングル３が視認可能である。また、ハウジング１５を下方向から見た場合に、図３に示すように、第２開口部２９の重なり開口部分３０を介してコネクター２１に装着された無線通信用ドングル３が視認可能である。さらに、ハウジング１５を上下方向Ｚから見た場合に、第１開口部２６と第２開口部２９の重なり開口部分３０は重なっている。これに加えて、ハウジング１５は、第２開口部２９が設けられた底部２７と、当該底部２７から下方に突出する突部３４を有するので、図４に示すように、ディスプレイ２を所望の設置面１０に設置したときに、突部３４によって設置面１０と底部２７との間に空間が形成される。従って、コネクター２１に接続された無線通信用ドングル３が発熱した場合には、設置面１０と底部２７との間の空間、第２開口部２９の重なり開口部分３０、無線通信用ドングル３および第１開口部２６をこの順番に経由して上昇する気流Ｓが形成される。よって、無線通信用ドングル３で発生した熱をハウジング１５の外側に放出しやすい。また、設置面１０と底部２７との間の空間を介してハウジング１５の外部から第２開口部２９に取り入れる空気によって、無線通信用ドングル３を冷却できる。
【００４５】
（無線通信用ドングルの取り外し）
図６（ａ）は無線通信用ドングル３を取り外して封鎖部材を取り付けた状態のディスプレイ２を後方の斜め上方から見た場合の斜視図であり、図６（ｂ）は封鎖部材を後方の斜め下方から見た場合の斜視図である。
【００４６】
ディスプレイ２に無線通信機能が必要ない場合には、ディスプレイ２から無線通信用ドングル３を取り外すことになる。無線通信用ドングル３を取り外す際には、図５に示すように、ハウジング本体１６から着脱部材１７を取り外して第２開口部２９の広がり開口部分３１を開放状態とする。ここで、広がり開口部分３１が開放状態となると、第２開口部２９（重なり開口部分３０および広がり開口部分３１）は、無線通信用ドングルを収容室２２から外側に引き出すのに十分な広さを有する。従って、第２開口部２９を、無線通信用ドングル３を収容室２２から引き出す引き出し経路として利用して、無線通信用ドングル３を収容室２２から取り外す。その後、着脱部材１７をネジ２８によりハウジング本体１６に固定する。
【００４７】
ここで、無線通信用ドングル３を取り外した後に着脱部材１７をハウジング本体１６に固定すると、本体部１２には、第１開口部２６を上端開口とし、重なり開口部分３０を下端開口とする貫通孔が形成される。このような貫通孔があると、ハウジング１５内にゴミなどの異物が侵入することがある。従って、図６に示すように、無線通信用ドングル３を取り外した場合には、第１開口部２６を着脱可能に封鎖する封鎖部材４５をハウジング１５に装着する。
【００４８】
封鎖部材４５は樹脂製である。図６（ｂ）に示すように、封鎖部材４５は、第１開口部２６よりも大きい矩形板状の蓋部４６と、蓋部４６から下方に突出する矩形の枠状突出部４７を備える。枠状突出部４７は第１開口部２６に挿入可能な大きさである。枠状突出部４７は、その四隅部分に、上下方向Ｚに延びるスリット４８を備える。
【００４９】
封鎖部材４５は、枠状突出部４７が上方から第１開口部２６に挿入されてハウジング１５に装着される。封鎖部材４５がハウジング１５に装着された状態では、枠状突出部４７が第１開口部２６に挿入されて第１開口部２６に嵌合する。また、枠状突出部４７の下端部分が重なり開口部分３０に挿入されて、重なり開口部分３０に嵌合する。そして、蓋部４６が第１開口部２６を上方から被う。従って、封鎖部材４５によってハウジング１５内への異物の侵入を防止できる。また、蓋部４６により第１開口部２６が覆われることにより、ディスプレイ２を上方から見た場合の美観が向上する。
【００５０】
（その他の実施の形態）
上記の例では、ハウジング１５の上面と下面にそれぞれ第１開口部２６と第２開口部２９を設けているが、ハウジング１５の側面に、コネクター２１に装着された無線通信用ドングル３を当該ハウジング１５の外側から視認可能とする開口部を設けてもよい。また、この場合には、ハウジング１５の側面に設けた開口部と、ハウジング１５の上面と下面に形成された第１開口部２６および第２開口部２９を連続させてもよい。
【００５１】
図７はハウジング１５に設けた第１開口部２６および第２開口部２９を、ハウジング１５の側面に開口部を設けて連続させた変形例のディスプレイを後方Ｙ２の斜め上方から見た場合の斜視図である。本例のディスプレイ２Ａでは、ハウジング１５の側面（枠板２０）に開口部５０を設けるとともに、この開口部５０を、ハウジング１５の上面に設けた第１開口部２６、および、ハウジング１５の下面に設けた第２開口部２９と連続させている。これにより、ディスプレイ２Ａのハウジング１５には、その後方Ｙ２から前方に向かって収容室２２に達するようにハウジング１５を切り欠いた切り欠き部が設けられている。本例のディスプレイ２Ａにおいても、上記のディスプレイ２Ａと同様の効果を得ることができる。
【００５２】
なお、ディスプレイとは異なる電子機器、例えば、プリンターに無線通信用ドングル３を搭載する際に、無線通信用ドングル３をそのハウジング内に収容する場合にも、ハウジングに無線通信用ドングル３を目視可能とする開口部を設ければ、無線通信用ドングル３で発生した熱をハウジング１５の外側に効率よく放出できる。また、電子機器に有線通信用ドングルを搭載する場合にも、ハウジングに当該有線通信用ドングルを目視可能とする開口部を設ければ、有線通信用ドングルで発生した熱をハウジングの外側に効率よく放出できる。
【符号の説明】
【００５３】
１・・ディスプレイユニット（電子機器ユニット）、２・２Ａ・・ディスプレイ（電子機器）、３・・無線通信用ドングル（通信用ドングル）、５・・ＰＯＳ端末装置、６・・プリンター、７・・ＰＯＳシステム、８・・ケーブル、９・・無線ＬＡＮ、１０、設置面、１１・・表示部、１２・・本体部、１３・・液晶パネル、１５・・ハウジング、１６・・ハウジング本体、１７・・着脱部材、１８・・天井板、１９・・底板、２０・・枠板、２１・・コネクター、２２・・収容室、２５・・突出部、２６・・第１開口部（開口部）、２７・・底部、２８・・ネジ、２９・・第２開口部（第２の開口部）、３０・・重なり開口部分、３１・・広がり開口部分、３３・・突出部（抜け防止機構）、３４・・突部、３５・・弾性部材、３７・・隔壁、３７ａ・・開口部、３８・・・パッキン、４０・・コネクター部、４１・・ドングル本体、４５・・封鎖部材、４６・・蓋部、４７・・枠状突出部、４８・・スリット、５０・・開口部、Ｘ・・幅方向、Ｘ１・・第１方向、Ｘ２・・第２方向、Ｙ・・前後方向、Ｙ１・・前方、Ｙ２・・後方、Ｚ・・上下方向
【図１】
0006606895.tif 000002
【図２】
0006606895.tif 000003
【図３】
0006606895.tif 000004
【図４】
0006606895.tif 000005
【図５】
0006606895.tif 000006
【図６】
0006606895.tif 000007
【図７】
0006606895.tif 000008